【事件の表示】
　特願２０１５−１８０９００号「遊技機」拒絶査定不服審判事件〔平成２９年　３月２３日出願公開、特開２０１７−５５８１４号〕について、次のとおり審決する。
【結　論】
　本件審判の請求は、成り立たない。
【理　由】
第１　手続の経緯の概要
　本願は、平成２７年９月１４日の出願であって、平成３０年１２月２８日に手続補正書が提出され、平成３１年２月１８日付けで拒絶の理由が通知され、同年４月２３日に意見書及び手続補正書が提出されたところ、令和１年６月３日付け（送達日：同年６月１１日）で拒絶査定（以下「原査定」という。）がなされ、それに対して、同年９月５日に拒絶査定不服審判の請求がなされると同時に手続補正がなされたものである。
　
第２　令和１年９月５日にされた手続補正についての補正の却下の決定
［補正の却下の決定の結論］
　令和１年９月５日にされた手続補正（以下「本件補正」という。）を却下する。
　
［理由］
　１　補正の内容
　本件補正により、平成３１年４月２３日付け手続補正書の特許請求の範囲の請求項１における
「【請求項１】
　識別情報を変動表示させる識別情報表示手段を備え、前記識別情報が特定態様で表示されることに基づいて、可変入球口が入球可能状態となる特定遊技を実行する遊技機において、
　前記識別情報が前記特定態様で表示される可能性を示唆する予告演出を発生させる演出発生手段と、
　遊技状態を設定する遊技状態設定手段と、
　を備え、
　前記遊技状態設定手段は、前記遊技状態として少なくとも、通常状態と、前記通常状態より遊技者にとって有利な有利状態とを設定可能であり、
　前記演出発生手段は、
　前記予告演出として少なくとも、第一の予告演出と、前記第一の予告演出と比較して遊技者に認知し難い第二の予告演出とを、発生可能であり、
　前記第一の予告演出および前記第二の予告演出のうち少なくとも一方について、前記通常状態が設定されている場合と前記有利状態が設定されている場合とで異なる発生頻度で予告演出を発生させ、
　前記有利状態が設定されている場合には、有利状態中における演出態様として少なくとも、第一の演出態様と、第二の演出態様とを設定可能であり、有利状態中において前記第一の演出態様から前記第二の演出態様へ変更可能であり、
　有利状態中における演出態様が前記第一の演出態様である場合と前記第二の演出態様である場合とで、前記第一の予告演出および前記第二の予告演出の少なくとも一方の発生頻度を互いに異ならせるよう構成されており、
　前記第一の予告演出よりも前記第二の予告演出の方が、前記予告演出が表示される演出表示部の中央から離れた位置で表示されるよう構成されている
　ことを特徴とする遊技機。」は、
　審判請求時に提出された手続補正書（令和１年９月５日付け）の特許請求の範囲の請求項１における
「【請求項１】
　識別情報を変動表示させる識別情報表示手段を備え、前記識別情報が特定態様で表示されることに基づいて、可変入球口が入球可能状態となる特定遊技を実行する遊技機において、
　前記識別情報が前記特定態様で表示される可能性を示唆する予告演出を発生させる演出発生手段と、
　遊技状態を設定する遊技状態設定手段と、
　を備え、
　前記遊技状態設定手段は、前記遊技状態として少なくとも、通常状態と、前記通常状態より遊技者にとって有利な有利状態とを設定可能であり、
　前記演出発生手段は、
　前記予告演出として少なくとも、第一の予告演出と、前記第一の予告演出と比較して遊技者に認知し難い第二の予告演出とを、発生可能であり、
　前記第一の予告演出および前記第二の予告演出のうち少なくとも一方について、前記通常状態が設定されている場合と前記有利状態が設定されている場合とで異なる発生頻度で予告演出を発生させ、
　前記有利状態が設定されている場合には、有利状態中における演出態様として少なくとも、第一の演出態様と、第二の演出態様とを設定可能であり、有利状態中において前記第一の演出態様から前記第二の演出態様へ変更可能であり、
　有利状態中における演出態様が前記第一の演出態様である場合と前記第二の演出態様である場合とで、前記第一の予告演出および前記第二の予告演出
を
発生可能であり、前記第一の演出態様である場合における前記第一の予告演出および前記第二の予告演出の発生頻度と前記第二の演出態様である場合における前記第一の予告演出および前記第二の予告演出
　前記第一の予告演出よりも前記第二の予告演出の方が、前記予告演出が表示される演出表示部の中央から離れた位置で表示されるよう構成されている
　ことを特徴とする遊技機。」に補正された（下線は、補正箇所を明示するために当審判合議体にて付した。）。
　
　２　補正の適否
　２−１　補正の目的及び新規事項について
　本件補正は、補正前の請求項１に記載した発明を特定するために必要な事項である「有利状態中における演出態様が前記第一の演出態様である場合と前記第二の演出態様である場合」における「前記第一の予告演出および前記第二の予告演出」の「発生頻度」に関して、本件補正前に「有利状態中における演出態様が前記第一の演出態様である場合と前記第二の演出態様である場合とで、前記第一の予告演出および前記第二の予告演出の少なくとも一方の発生頻度を互いに異ならせるよう構成されており」とあったものを、「有利状態中における演出態様が前記第一の演出態様である場合と前記第二の演出態様である場合とで、前記第一の予告演出および前記第二の予告演出
を
発生可能であり、前記第一の演出態様である場合における前記第一の予告演出および前記第二の予告演出の発生頻度と前記第二の演出態様である場合における前記第一の予告演出および前記第二の予告演出
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正は、願書に最初に添付した明細書の段落【０１２５】等の記載からみて、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｉは、分説するため当審判合議体にて付した。）。
「Ａ　識別情報を変動表示させる識別情報表示手段を備え、前記識別情報が特定態様で表示されることに基づいて、可変入球口が入球可能状態となる特定遊技を実行する遊技機において、
　Ｂ　前記識別情報が前記特定態様で表示される可能性を示唆する予告演出を発生させる演出発生手段と、
　Ｃ　遊技状態を設定する遊技状態設定手段と、
　を備え、
　Ｄ　前記遊技状態設定手段は、前記遊技状態として少なくとも、通常状態と、前記通常状態より遊技者にとって有利な有利状態とを設定可能であり、
　Ｅ　前記演出発生手段は、
　Ｅ１　前記予告演出として少なくとも、第一の予告演出と、前記第一の予告演出と比較して遊技者に認知し難い第二の予告演出とを、発生可能であり、
　Ｅ２　前記第一の予告演出および前記第二の予告演出のうち少なくとも一方について、前記通常状態が設定されている場合と前記有利状態が設定されている場合とで異なる発生頻度で予告演出を発生させ、
　Ｆ　前記有利状態が設定されている場合には、有利状態中における演出態様として少なくとも、第一の演出態様と、第二の演出態様とを設定可能であり、有利状態中において前記第一の演出態様から前記第二の演出態様へ変更可能であり、
　Ｇ　有利状態中における演出態様が前記第一の演出態様である場合と前記第二の演出態様である場合とで、前記第一の予告演出および前記第二の予告演出を少なくとも発生可能であり、前記第一の演出態様である場合における前記第一の予告演出および前記第二の予告演出の発生頻度と前記第二の演出態様である場合における前記第一の予告演出および前記第二の予告演出の発生頻度を互いに異ならせるよう構成されており、
　Ｈ　前記第一の予告演出よりも前記第二の予告演出の方が、前記予告演出が表示される演出表示部の中央から離れた位置で表示されるよう構成されている
　Ｉ　ことを特徴とする遊技機。」
　
　（２）引用文献１
　原査定の拒絶の理由に引用文献１として引用された、本願の出願前に頒布された刊行物である特開２００９−２６１７２２号公報（以下「引用文献１」という。）には、図面とともに以下の事項が記載されている（下線は当審判合議体にて付した。以下同じ。）。
　　　ア　記載事項
　　　（ア）「【発明が解決しようとする課題】
・・・
【０００５】
　本発明は、かかる実情に鑑み考え出されたものであり、その目的は、ステップアップ予告に関する演出の面白みを向上させ、
遊技の興趣を向上させる
　
　　　（イ）「【００２１】
　〔第１実施形態〕
　まず、遊技機の一例であるパチンコ遊技機１の全体の構成について説明する。図１は
パチンコ遊技機１
・・・
【００２４】
　遊技領域７の中央付近には、液晶表示装置（ＬＣＤ）で構成された演出表示装置９が設けられている。演出表示装置９の表示画面には、第１特別図柄または第２特別図柄の変動表示に同期した演出図柄の変動表示を行なう演出図柄表示領域がある。
演出表示装置９は、
複数種類の識別情報としての演出図柄の変動表示を行なう
　
　　　（ウ）「【００４１】
　演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときとには、
演出表示装置９において大当りを想起させるような特定表示結果としての演出図柄の組合せが停止表示される。
　
　　　（エ）「【００６４】
　この実施の形態では、演出制御基板８０に搭載されている
演出制御手段（
演出制御用マイクロコンピュータ１００）
演出制御手段は、
予告演出等の各種演出を行なう。
　
　　　（オ）「【０１２２】
　第１特別図柄表示器８ａまたは第２特別図柄表示器８ｂにおいて、特別図柄（第１特別図柄または第２特別図柄）の変動表示が開始された後、所定時間（変動時間）が経過すると、特別図柄の変動表示結果である停止図柄を停止表示（導出表示）する。大当りにすることに決定されている場合には、特定の特別図柄（大当り図柄）が停止表示される。小当りにすることに決定されている場合には、大当り図柄とは異なる所定の特別図柄（小当り図柄）が停止表示される。はずれにすることに決定されている場合には、大当り図柄や小当り図柄以外の特別図柄が停止表示される。
大当り図柄が導出表示された場合には、
大当り遊技状態に制御される。
・・・
【０１２５】
　また、大当り遊技状態が終了した後、遊技状態が時短状態に制御される。時短状態では、通常状態（確変状態や時短状態ではない状態）に比べて特別図柄の変動表示における特別図柄の変動時間が短縮される。時短状態は、たとえば、所定回数（たとえば、１００回）の特別図柄の変動表示が実行されること、および、変動表示結果が「大当り」となることのうち、いずれかの条件が先に成立したときに終了する。なお、大当り状態が終了した後に、時短状態にせずに通常状態になるようにしてもよい。
【０１２６】
　遊技状態を確変状態に制御することに決定されている場合には、大当り遊技状態が終了した後、
遊技状態が確変状態に制御される。
・・・
【０１２８】
　第１特別図柄表示器８ａまたは第２特別図柄表示器８ｂに小当り図柄が停止表示された場合には、遊技状態が、大当り遊技状態とは異なる小当り遊技状態に制御される。小当り遊技状態では、２ラウンド大当り状態と同様に、可変入賞球装置２０における開閉板が第２期間（たとえば、０．５秒間）開放状態になって大入賞口が開放される。ラウンドの回数は第２回数（たとえば、２）である。ただし、２ラウンド大当り状態とは異なり、遊技状態は変更されない。すなわち、小当り遊技状態に制御される前の遊技状態が継続する。ただし、確変状態や時短状態を終了することに決定されている場合には、小当り遊技状態の終了後に、
遊技状態は通常状態に制御される。
【０１２９】
　また、
確変状態では、
通常状態
に比べて、大当りに決定される確率が高くなっている。
　
　　　（カ）「【０２１０】
　
図３１は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。
　
　　　（キ）「【０２７１】
　大入賞口制御タイマの値が０になっている場合には、ＣＰＵ５６は、大入賞口の開放中（ラウンド中）におけるラウンド数に応じた表示状態を指定する大入賞口開放中指定コマンド（Ａ１ＸＸ（Ｈ））を演出制御用マイクロコンピュータ１００に送信する制御を行なう（Ｓ４０３）。なお、ＣＰＵ５６は、ラウンド数を、
大当り遊技
大入賞口（特別可変入賞球装置２０）を開放する制御を行なう
　
　　　（ク）「【０３１９】
　予告パターン種別決定用の乱数ＳＲ７は、第１予告演出を実行するか否かを決定し、第１予告演出を実行する場合における予告パターン種別を予め用意された複数種類のいずれかに決定するために用いられる乱数である。ここで、
予告演出とは、変動表示時において、大当り遊技状態となることを予告する演出をいう。
　
　　　（ケ）「【０３８３】
　図６４は、
予告演出の一例として
ボタン予告が実行されたとき
ボタン予告が実行され
【０３８４】
　図６４を参照して、（Ａ），（Ｂ）に示すように、特別図柄の変動表示における特別図柄の変動開始等に対応して、「左」、「中」、「右」の図柄表示エリア９Ｌ、９Ｃ、９Ｒの全部で演出図柄の変動が開始される。
ボタン予告を実行することが決定されたときには、
封筒画像
９Ｐが表示されるとともに、
操作ボタン画像
９Ｑ
操作要求メッセージ画像
９Ｓとが表示される。
　
　　　（コ）「【０４５０】
　図７０においては、
一例として、第
ミニキャラ予告が実行され
【０４５１】
　（Ａ）に示すような演出図柄が停止されている状態から（Ｂ１）、（Ｂ２）、または（Ｂ３）に示すようなすべての図柄表示エリア９Ｌ、９Ｃ、９Ｒで演出図柄が変動を開始した段階になると、
ミニキャラ予告が行なわれるときには、複数種類のミニキャラ画像９６１，９６２，９６３のうちから選択されたミニキャラ画像が演出表示装置９において表示される。
【０４５２】
　たとえば、（Ｂ１）に示される第１ミニキャラ画像９６１は、虫の形状のミニキャラであり、ミニキャラ表示Ａの予告パターンが選択されたときに表示される。（Ｂ２）に示される第２ミニキャラ画像９６２は、木の葉の形状のミニキャラであり、ミニキャラ表示Ｂの予告パターンが選択されたときに表示される。（ＣＢ３）に示される第３ミニキャラ画像９６３は、鳥の形状のミニキャラであり、ミニキャラ表示Ｃの予告パターンが選択されたときに表示される。
【０４５３】
　ミニキャラ予告の予告パターンとしてのミニキャラ表示Ａ〜ミニキャラ表示Ｃについては、ミニキャラ表示Ａ＜ミニキャラ表示Ｂ＜ミニキャラ表示Ｃの順序で、その後に大当りとなる割合が高くなるように大当りとなる信頼度が設定されている。これにより、遊技者からの見た目では、第１ミニキャラ画像９６１＜第２ミニキャラ画像９６２＜第３ミニキャラ画像９６３の順序で、表示されたときにその後に大当りとなる割合が高くなるように大当りとなる信頼度が設定されている。
・・・
【０４５５】
　
ミニキャラ画像は、視認性が低い画像である
　
　　　（サ）「【１２３０】
　第１予告演出
予告パターン種別決定テーブル２００の設定
確変状態のときは、非確変状態のときと比べてボタン予告が選択される割合が低く、
・・・
【１２３７】
　また、第１予告演出に限らず、第４予告演出についても、図１００に示すような「第４予告演出なし」、および、
「ミニキャラ予告」の
の選択項目についての割り振りが、非確変状態であるときと、確変状態であるときとに分けて、異なるように設定してもよい。
　
　　　イ　認定事項
　　　（ア）
　引用文献１には、【０１２６】に「・・・遊技状態が確変状態に制御される。」ことが記載され、【０１２８】に「・・・遊技状態は通常状態に制御される。」ことが記載され、【０１２９】に「確変状態では、・・・通常状態・・・に比べて、大当りに決定される確率が高くなっている。」ことが記載され、【０２１０】に「図３１は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。」ことが記載されている。
　
【図３１】
　そして、【図３１】の特別図柄停止処理（Ｓ３０４）に対応する、「特別図柄停止処理を示すフローチャートである」【図３９】に、Ｓ１３３で大当りフラグがセットされている場合、Ｓ１３４で確変フラグおよび時短フラグがリセットされること、Ｓ１４１で時短回数カウンタ＝０である場合、Ｓ１４２で時短フラグがリセットされることが図示されている。ここで、「確変フラグおよび時短フラグがリセットされる」こと、および、「時短フラグがリセットされる」ことは、遊技状態が通常状態となることを意味するものであると認める。
　
【図３９】
　
　また、同じく、【図３１】の大当り終了処理（Ｓ３０７）に対応する、「大当り終了処理を示すフローチャートである」【図４３】に、Ｓ１５８で大当り種別が確変大当り又は突然確変大当りである場合、Ｓ１６１で確変フラグがセットされることが図示されている。ここで、「確変フラグがセットされる」ことは、遊技状態が確変状態となることを意味するものであると認める。
　
【図４３】
これらのことからみて、引用文献１には、
遊技制御用マイクロコンピュータ５６０が、特別図柄プロセス処理において、遊技状態として、通常状態と通常状態に比べて大当りに決定される確率が高くなっている確変状態とに設定可能である
　　　（イ）
　引用文献１には、【００６４】に「・・・演出制御手段（後述する演出制御用マイクロコンピュータ１００）が、・・・予告演出等の各種演出を行なう。」ことが記載されている。
　そして、引用文献１には、ボタン予告に関して、【０３８４】に「ボタン予告を実行することが決定されたときには、・・・封筒画像・・・９Ｐが表示されるとともに、・・・操作ボタン画像・・・９Ｑと、・・・操作要求メッセージ画像・・・９Ｓとが表示される。」ことが記載され、「予告演出の一例として第１予告演出のボタン予告が実行されたときの演出表示装置９における表示動作例を示す説明図である」（【０３８３】）【図６４】に、ボタン予告として、封筒画像９Ｐ、操作ボタン画操９Ｑ、操作要求メッセージ画像９Ｓが、演出表示装置９の中央寄りの下部領域に表示されることが図示されている。
　
【図６４】
　
　また、引用文献１には、ミニキャラ予告に関して、【０４５１】に「ミニキャラ予告が行なわれるときには、複数種類のミニキャラ画像９６１，９６２，９６３のうちから選択されたミニキャラ画像が演出表示装置９において表示される。」こが記載され、第４予告演出の一例としてのミニキャラ予告が実行されたときの演出表示装置における表示例を示す説明図である【図７０】に、ミニキャラ予告として、ミニキャラ画像が、演出表示装置９の中央から若干離れた上部領域に小さく表示されることが図示されている。
　
【図７０】
　
　さらに、【図６４】と【図７０】において、ミニキャラ予告とボタン予告とを比較した場合、ミニキャラ予告が、ボタン予告よりも視認性の低い演出を用いて実行されることが示されているとともに、ミニキャラ予告が、ボタン予告よりも演出表示装置９の中央から離れた表示領域を用いて実行されることが図示されているものと認められる。
　
これらのことからみて、引用文献１には、次の事項が示されているものと認められる。
イ−１
：演出制御用マイクロコンピュータ１００は、予告演出として、例えば、封筒画像９Ｐ、操作ボタン画操９Ｑ、操作要求メッセージ画像９Ｓを表示するボタン予告や、ボタン予告よりも視認性の低い画像であるミニキャラ画像を表示するミニキャラ予告を実行可能である
　イ−２：
ミニキャラ予告が、ボタン予告よりも演出表示装置９の中央から離れた表示領域を用いて実行される
　
　　　ウ　引用発明
　上記アの記載事項および上記イの認定事項を総合すると、引用文献１には、次の発明（以下「引用発明」という。）が記載されていると認められる（ａ〜ｉは、本件補正発明のＡ〜Ｉに対応させて当審判合議体にて付与した。）。
「ａ　複数種類の識別情報としての演出図柄の変動表示を行なう演出表示装置９を備え（【００２４】）、
　演出表示装置９において大当りを想起させるような特定表示結果としての演出図柄の組合せが導出表示された場合に、大入賞口（特別可変入賞球装置２０）を開放する制御を行なう大当り遊技状態に制御される（【００４１】、【０１２２】、【０２７１】）
　パチンコ遊技機１（【００２１】）において、
　ｂ　変動表示時において、大当り遊技状態となることを予告する予告演出等の各種演出を行なう演出制御用マイクロコンピュータ１００（【００６４】、【０３１９】）と、
　ｃ〜ｄ　特別図柄プロセス処理において、遊技状態として、通常状態と通常状態に比べて大当りに決定される確率が高くなっている確変状態とに設定可能である遊技制御用マイクロコンピュータ５６０（認定事項（ア））とを備え、
　ｅ　演出制御用マイクロコンピュータ１００は、
　ｅ１　予告演出として、例えば、封筒画像９Ｐ、操作ボタン画操９Ｑ、操作要求メッセージ画像９Ｓを表示するボタン予告や、ボタン予告よりも視認性の低い画像であるミニキャラ画像を表示するミニキャラ予告を実行可能とし（認定事項（イ−１））、
　ｅ２、ｆ’、ｇ’　ボタン予告について、予告パターン種別決定テーブル２００に、確変状態のときは、非確変状態のときと比べて選択される割合が低くなるように予告パターンの選択割合を設定し（【１２３０】）、
　ミニキャラ予告について、選択項目についての割り振りを、非確変状態であるときと、確変状態であるときとに分けて、異なるように設定し（【１２３７】）、
　ｈ　ミニキャラ予告が、ボタン予告よりも演出表示装置９の中央から離れた表示領域を用いて実行される（認定事項（イ−２））、
　ｉ　パチンコ遊技機１。」
　
　（３）対比
　本件補正発明と引用発明とを、分説に従い対比する。
　　（ａ、ｉ）
　引用発明における構成ａの「複数種類の識別情報としての演出図柄の変動表示を行なう演出表示装置９」は、本件補正発明における構成Ａの「識別情報を変動表示させる識別情報表示手段」に相当する。
　そして、引用発明における構成ａの「演出表示装置９において大当りを想起させるような特定表示結果としての演出図柄の組合せが導出表示され」たことは、本件補正発明における構成Ａの「識別情報が特定態様で表示される」ことに相当する。
　また、引用発明における構成ａの「大入賞口（特別可変入賞球装置２０）を開放する制御を行なう大当り遊技状態に制御されるパチンコ遊技機１」は、本件補正発明における構成Ａの「可変入球口が入球可能状態となる特定遊技を実行する遊技機」に相当する。
　したがって、引用発明における構成ａ、構成ｉは、それぞれ、本件補正発明における構成Ａ、構成Ｉに相当する。
　
　　（ｂ）
　引用発明における構成ｂの「変動表示時において、大当り遊技状態となることを予告する予告演出等の各種演出を行なう」ことは、本件補正発明における構成Ｂの「識別情報が特定態様で表示される可能性を示唆する予告演出を発生させる」ことに相当する。
　したがって、引用発明における構成ｂの「演出制御用マイクロコンピュータ１００」は、本件補正発明における構成Ｂの「演出発生手段」としての機能を有する。
　
　　（ｃ〜ｄ）
　引用発明における構成ｃ〜ｄの「遊技状態」、「通常状態」、「通常状態に比べて大当りに決定される確率が高くなっている確変状態」は、それぞれ、本件補正発明における構成Ｃ〜Ｄの「遊技状態」、構成Ｄの「通常状態」、構成Ｄの「通常状態より遊技者にとって有利な有利状態」に相当する。
　したがって、引用発明における構成ｃ〜ｄの「遊技制御用マイクロコンピュータ５６０」は、本件補正発明における構成Ｃ〜Ｄの「遊技状態設定手段」としての機能を有する。
　
　（ｅ、ｅ１）
　引用発明における構成ｅ、ｅ１の「封筒画像９Ｐ、操作ボタン画操９Ｑ、操作要求メッセージ画像９Ｓを表示するボタン予告」は、本件補正発明における構成Ｅ、Ｅ１の「第一の予告演出」に相当する。
　そして、引用発明における構成ｅ、ｅ１の「ボタン予告よりも視認性の低い画像であるミニキャラ画像を表示するミニキャラ予告」は、本件補正発明における構成Ｅ、Ｅ１の「第一の予告演出と比較して遊技者に認知し難い第二の予告演出」に相当する。
　したがって、引用発明における構成ｅ、ｅ１の「演出制御用マイクロコンピュータ１００」は、本件補正発明における構成Ｅ、Ｅ１の「演出発生手段」としての機能を有する。
　
　　（ｅ、ｅ２）
　引用発明における構成ｅ、ｅ２、ｆ’、ｇ’の「ボタン予告について、予告パターン種別決定テーブル２００に、確変状態のときは、非確変状態のときと比べて選択される割合が低くなるように予告パターンの選択割合を設定」すること、および、「ミニキャラ予告について、選択項目についての割り振りを、非確変状態であるときと、確変状態であるときとに分けて、異なるように設定」することは、本件補正発明における構成Ｅ、Ｅ２の「通常状態が設定されている場合と有利状態が設定されている場合とで異なる発生頻度で予告演出を発生させ」ることに相当する。
　したがって、引用発明における構成ｅ、ｅ２、ｆ’、ｇ’の「演出制御用マイクロコンピュータ１００」は、本件補正発明における構成Ｅ、Ｅ２の「演出発生手段」としての機能を有する。
　
　　（ｆ）
　引用発明における構成ｅ２、ｆ’、ｇ’の「確変状態」では、「ボタン予告」や、「ミニキャラ予告」を所定の割合で選択され、実行される等、何らかの演出が行われていることは当業者において自明であるから、引用発明は、「確変状態」中に所定の演出態様が設定されるものである。
　そうすると、引用発明における「確変状態」中に所定の演出態様が設定されることと、本件補正発明における構成Ｆの「有利状態が設定されている場合には、有利状態中における演出態様として少なくとも、第一の演出態様と、第二の演出態様とを設定可能であり、有利状態中において第一の演出態様から第二の演出態様へ変更可能であ」ることとは、「有利状態が設定されている場合には、有利状態中における所定の演出態様を設定可能であ」ることで共通する。
　
　　（ｇ）
　引用発明は、構成ｅ２、ｆ’、ｇ’を備えることで、「確変状態」において、「ボタン予告」と「ミニキャラ予告」とを実行可能なものである。
　そうすると、上記（ｆ）より、引用発明の構成ｅ２、ｆ’、ｇ’と、本件補正発明の構成Ｇの「有利状態中における演出態様が第一の演出態様である場合と第二の演出態様である場合とで、第一の予告演出および第二の予告演出を少なくとも発生可能であり、第一の演出態様である場合における第一の予告演出および第二の予告演出の発生頻度と第二の演出態様である場合における第一の予告演出および第二の予告演出の発生頻度を互いに異ならせるよう構成されて」いることとは、「有利状態中における所定の演出態様において、第一の予告演出および第二の予告演出を少なくとも発生可能であ」ることで共通する。
　
　　（ｈ）
　引用発明における構成ｈの「ミニキャラ予告が、ボタン予告よりも演出表示装置９の中央から離れた表示領域を用いて実行される」ことは、本件補正発明における構成Ｈの「第一の予告演出よりも第二の予告演出の方が、予告演出が表示される演出表示部の中央から離れた位置で表示される」ことに相当する。
　したがって、引用発明における構成ｈは、本件補正発明における構成Ｈに相当する。
　　
　上記（ａ、ｉ）〜（ｈ）によれば、本件補正発明と引用発明は、
「Ａ　識別情報を変動表示させる識別情報表示手段を備え、前記識別情報が特定態様で表示されることに基づいて、可変入球口が入球可能状態となる特定遊技を実行する遊技機において、
　Ｂ　前記識別情報が前記特定態様で表示される可能性を示唆する予告演出を発生させる演出発生手段と、
　Ｃ　遊技状態を設定する遊技状態設定手段と、
　を備え、
　Ｄ　前記遊技状態設定手段は、前記遊技状態として少なくとも、通常状態と、前記通常状態より遊技者にとって有利な有利状態とを設定可能であり、
　Ｅ　前記演出発生手段は、
　Ｅ１　前記予告演出として少なくとも、第一の予告演出と、前記第一の予告演出と比較して遊技者に認知し難い第二の予告演出とを、発生可能であり、
　Ｅ２　前記第一の予告演出および前記第二の予告演出のうち少なくとも一方について、前記通常状態が設定されている場合と前記有利状態が設定されている場合とで異なる発生頻度で予告演出を発生させ、
　Ｆ’　前記有利状態が設定されている場合には、有利状態中における所定の演出態様を設定可能であり、
　Ｇ’　有利状態中における所定の演出態様において、前記第一の予告演出および前記第二の予告演出を少なくとも発生可能であり、
　Ｈ　前記第一の予告演出よりも前記第二の予告演出の方が、前記予告演出が表示される演出表示部の中央から離れた位置で表示されるよう構成されている
　Ｉ　遊技機。」の点で一致し、次の点で相違する。
　
［相違点」（構成Ｆ〜Ｇ）
　有利状態中における所定の演出態様に関して、
　本件補正発明は、少なくとも、第一の演出態様と、第二の演出態様とを設定可能であり、第一の演出態様から第二の演出態様へ変更可能であるとともに、所定の演出態様が第一の演出態様である場合と第二の演出態様である場合とで、第一の予告演出および第二の予告演出を少なくとも発生可能であり、第一の演出態様である場合における第一の予告演出および第二の予告演出の発生頻度と第二の演出態様である場合における第一の予告演出および第二の予告演出の発生頻度を互いに異ならせるよう構成されているのに対して、
　引用発明は、有利状態中における演出態様として、第一の演出態様と、第二の演出態様とを設定可能であることが特定されていないため、本件補正発明の構成Ｆ〜Ｇを備えていない点。
　
　（５）当審判合議体の判断
　　　ア　相違点について
　上記相違点について検討する。
　特許第５６７１１７７号公報には、遊技興趣の向上を図ることを目的とし（【０００５】）、
　高確率状態で設定され、予告演出を実行する態様がそれぞれ異なる３つの期間Ｘ，期間Ｙ，期間Ｚを有する特別モードにおいて、専用の背景として期間Ｘ、Ｙでは第１の背景を用い、期間Ｚでは第２の背景を用いるパチンコ機１０において（【００１７】、【００４９】、【００５２】、【００６０】）、
　特別モード期間Ｚ指定コマンドに基づいて特別モードにおける演出表示装置３４の背景画面を第１の背景から第２の背景に切り替え（【００６０】〜【００６２】）、
　期間Ｘ〜Ｚのいずれにおいても、三つの予告種Ａ，Ｂ，Ｃを実行可能であり（【０１０１】）、
　期間Ｚの外れ時では、期間Ｘ，Ｙの外れ時に比べて、三つの予告種Ａ，Ｂ，Ｃから一つを選択した予告演出への予告演出決定用乱数の振り分けを少なくし、予告種Ａ，Ｂ，Ｃから二つ選択して組み合わせた予告演出や三つ選択して組み合わせた予告演出への予告演出決定用乱数の振り分けを多くする（【０１０１】、【図３８】）ことが記載されている。
　
【図３８】
　
　
　また、特開２０１１−２４００３７号公報には、「所定の潜伏条件が成立した後における遊技の興趣を向上させて、遊技状態が特別遊技状態であることに対する遊技者の期待感を高めることができる遊技機を提供する」（【００１１】）ことを目的とし、
　確変状態が継続する期間を、確変大当りＢの種別により決定される使用テーブル変更始動回数となる前の期間（期間１）と、使用テーブル変更始動回数後から変動回数が確変終了回数である７８回となるまでの期間（期間２）とに分け（【０５１８】、【０５２１】、【０５２５】）たパチンコ遊技機１（【００２０】）において、
　「期間１では夜モードに非常に移行し易いモード変化決定用テーブルＡが使用され、期間２ではモード変化決定用テーブルＡに比較して転落が決定され易いモード変化決定用テーブルＢが使用されるので、使用テーブル変更始動回数を境界としてモード変化状況が変化」（【０５２７】、【図５５】）し、「予告演出においては、期間１においてはキャラクタＣが決定され易く、期間２においてはキャラクタＢが決定され易いので、予告演出において多く出現するキャラクタが使用テーブル変更始動回数を境界として変化」（【０５２８】、【図５５】）することが示されている。
　
　【図５５】
　
　すると、高確率状態（確変状態）において、演出の異なる少なくとも２つの期間が設定され（故に、期間の境界で演出が変わることになる。）、２つの期間で少なくとも２種類の予告演出が可能であって、それぞれの期間における２種類の予告演出の割り振りが互いに異なるように設定されること（以下「周知の技術事項」という。）が、本願出願前に周知であるといえる。
　そして、周知の技術事項の「高確率状態（確変状態）」が、本件補正発明の「有利状態」に、周知の技術事項の「２つの期間」の「異なる」「演出」が、本件補正発明の「第一の演出態様」および「第二の演出態様」に、周知の技術事項の「２種類の予告演出」が、本件補正発明の「第一の予告演出」および「第二の予告演出」に、それぞれ相当するから、周知の技術事項は、本件補正発明の構成ＦおよびＧに相当すると認められる。
　
　ここで、引用発明と上記周知の技術事項とは、確変状態において予告演出を行う遊技機である点で共通するとともに、遊技の興趣を向上させるという共通の課題を解決するものであるから、引用発明における予告演出を伴う確変状態に上記周知の技術事項を適用して、確変状態中における演出態様として、第一の演出態様と、第二の演出態様とを設定可能とし、かつ、第一の演出態様である場合と、第二の演出態様である場合とで、ボタン予告とミニキャラ予告の選択割合を異ならせ、上記相違点に係る本件補正発明の構成とすることは当業者が容易になし得たものである。
　
　　　イ　効果について
　本件補正発明により奏される効果は、当業者が、引用発明、および、上記周知の技術事項から予測し得た効果の範囲内のものであって、格別なものではない。
　
　　　ウ　小括
　よって、本件補正発明は、引用発明、および、上記周知の技術事項に基いて当業者が容易に発明をすることができたものであるから、特許法第２９条第２項の規定により、特許出願の際に独立して特許を受けることができないものである。
　
　（６）まとめ
　上記（１）〜（５）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成３１年４月２３日付け手続補正書の請求項１に記載された、次のとおりのものと認める。
「Ａ　識別情報を変動表示させる識別情報表示手段を備え、前記識別情報が特定態様で表示されることに基づいて、可変入球口が入球可能状態となる特定遊技を実行する遊技機において、
　Ｂ　前記識別情報が前記特定態様で表示される可能性を示唆する予告演出を発生させる演出発生手段と、
　Ｃ　遊技状態を設定する遊技状態設定手段と、
　を備え、
　Ｄ　前記遊技状態設定手段は、前記遊技状態として少なくとも、通常状態と、前記通常状態より遊技者にとって有利な有利状態とを設定可能であり、
　Ｅ　前記演出発生手段は、
　Ｅ１　前記予告演出として少なくとも、第一の予告演出と、前記第一の予告演出と比較して遊技者に認知し難い第二の予告演出とを、発生可能であり、
　Ｅ２　前記第一の予告演出および前記第二の予告演出のうち少なくとも一方について、前記通常状態が設定されている場合と前記有利状態が設定されている場合とで異なる発生頻度で予告演出を発生させ、
　Ｆ　前記有利状態が設定されている場合には、有利状態中における演出態様として少なくとも、第一の演出態様と、第二の演出態様とを設定可能であり、有利状態中において前記第一の演出態様から前記第二の演出態様へ変更可能であり、
　Ｇ’有利状態中における演出態様が前記第一の演出態様である場合と前記第二の演出態様である場合とで、前記第一の予告演出および前記第二の予告演出の少なくとも一方の発生頻度を互いに異ならせるよう構成されており、
　Ｈ　前記第一の予告演出よりも前記第二の予告演出の方が、前記予告演出が表示される演出表示部の中央から離れた位置で表示されるよう構成されている
　Ｉ　ことを特徴とする遊技機。」
　
　２　原査定の拒絶の理由
（進歩性）この出願の請求項１に係る発明は、その出願前に日本国内において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　＜引用文献等一覧＞
　　１.特開２００９−２６１７２２号公報
　　２.特開２０１３−９４４７８号公報
　
　３　引用文献に記載された事項
　原査定の拒絶の理由に引用文献１として引用された引用文献１の記載事項、および、引用発明の認定については、前記「第２［理由］　２　２−２（２）引用文献１」に記載したとおりである。
　そして、同じく、原査定の拒絶の理由に引用文献２として引用された、本願の出願前に頒布された刊行物である特開２０１３−９４４７８号公報（以下「引用文献２」という。）には、図面とともに以下の事項が記載されている（下線は当審判合議体にて付した。以下同じ。）。
　（１）記載事項
　　　ア　「【発明が解決しようとする課題】
・・・
【０００５】
　しかしながら、これでは遊技モードを跨ぐような予告演出を行うことができず、遊技モードの切り替え時期には必ず予告演出が途切れてしまうため、演出全体として流れの悪い印象を与え、
十分な演出効果を得ることができないという問題があった。
　
　　　イ　「【発明を実施するための形態】
【００１５】
　以下、本発明の実施形態を図面に基づいて詳述する。図１〜図１２は本発明を
パチンコ機
　
　　　ウ　「【００３９】
　また、変動パターン選択テーブルは複数種類用意されており、例えば後述する
確変遊技状態中
は、
遊技モード毎に予め定められた変動パターン選択テーブルが用いられるようになっている。
・・・
【００４１】
　また、その
確変遊技状態中の遊技モードとして、
「ＳＴ前半モード」、「ＳＴ中盤モード」
が設けられており、確変遊技状態が開始されてから特別図柄表示手段３２が３３回変動するまでの期間が「ＳＴ前半モード」、そこから特別図柄表示手段３２が３０回変動するまでの期間が「ＳＴ中盤モード」
となっている。
【００４２】
　各遊技モードに対しては、例えば図３に示すような各１つの変動パターン選択テーブルが設定されており、それら
各遊技モードに対応する３種類の変動パターン選択テーブルは、
各変動パターンの選択率の設定が異なるのはもちろん、選択対象となる変動パターンの種類も異なっていてもよい。
　
　　　エ　「【００６６】
　ここで、本実施形態では、確変遊技状態中に出現可能な予告演出として、図１０に示すようにＡ〜Ｅの５種類が設けられている。これら５種類の予告演出Ａ〜Ｅは、例えば何れも先読み判定手段６８による先読み判定結果に基づく予告演出（遊技演出）であり、その先読み判定に係る保留記憶が図柄変動に供されるまでの例えば４回（所定上限回数）を限度とする１又は複数回の図柄変動にわたって実行されるいわゆる連続予告である点では共通するが、予告演出Ａは例えば保留表示画像３５の表示態様（色、形状等）を変化させるものであり、予告演出Ｂは例えば演出図柄の変動中に登場するキャラクターの表示態様を変化させるものであり、予告演出Ｃは例えば可動体を各種パターンで作動させるものである等、その演出の態様が夫々異なっている。
【００６７】
　また、これら５種類の予告演出Ａ〜Ｅは、各遊技モードにおける図柄演出と整合するか否か等により、遊技モード毎に出現可能なものと出現不可能なものとが予め分類されている。本実施形態では、図１０に示すように、
ＳＴ前半モードでは予告演出Ａ〜Ｃのみが、ＳＴ中盤モードでは予告演出Ａ，Ｃ，Ｄのみが
夫々出現可能であり
　【図１０】
　
　（２）引用文献２に記載された技術事項
　上記（１）の記載事項および図面の図示内容を総合すると、引用文献２には、次の技術事項（以下「引用文献２に記載された技術事項」という。）が記載されている（ｆ〜ｇ’は、本願発明のＦ〜Ｇ’に対応させて当審判合議体にて付与した。）。
「ｆ　確変遊技状態中の遊技モードとして、確変遊技状態が開始されてから特別図柄表示手段３２が３３回変動するまでの期間に対応する「ＳＴ前半モード」と、「ＳＴ前半モード」から特別図柄表示手段３２が３０回変動するまでの期間に対応する「ＳＴ中盤モード」とが設けられ（【００４１】）、
　変動パターン選択テーブルとして、遊技モード毎に予め定められた、各変動パターンの選択率の設定が異なることに加え、選択対象となる変動パターンの種類も異なるテーブルを用い（【００３９】、【００４２】）、
　ｇ’ＳＴ前半モードでは予告演出Ａ〜Ｃのみが出現可能であり、ＳＴ中盤モードでは予告演出Ａ，Ｃ，Ｄのみが出現可能である（【００６７】）、
　ｉ　パチンコ機（【００１５】）。」
　
　４　対比・判断
　本願発明は、前記「第２［理由］　３（１）」で検討した本件補正発明の
「前記第一の予告演出および前記第二の予告演出」の「発生頻度」に関して、「有利状態中における演出態様が前記第一の演出態様である場合と前記第二の演出態様である場合とで、前記第一の予告演出および前記第二の予告演出
を
発生可能であり、前記第一の演出態様である場合における前記第一の予告演出および前記第二の予告演出の発生頻度と前記第二の演出態様である場合における前記第一の予告演出および前記第二の予告演出
　そうすると、本願発明と引用発明とは、本件補正発明と同様に、次の相違点１’において相違し、その余の点において一致する。
　
［相違点１’］（構成Ｆ〜Ｇ’）
　本願発明は、有利状態が設定されている場合には、有利状態中における演出態様として少なくとも、第一の演出態様と、第二の演出態様とを設定可能であり、有利状態中において前記第一の演出態様から前記第二の演出態様へ変更可能であるとともに、有利状態中における演出態様が第一の演出態様である場合と第二の演出態様である場合とで、第一の予告演出および第二の予告演出の少なくとも一方の発生頻度を互いに異ならせるよう構成されているのに対して、
　引用発明は、有利状態中における演出態様として、第一の演出態様と、第二の演出態様とを設定可能であることが特定されていないため、本願発明の構成Ｆ〜Ｇ’を備えていない点。
　
　そこで、上記相違点１’について検討する。
　まず、本願発明の構成Ｆと引用文献２に記載された技術事項の構成ｆとを対比する。
　引用文献２に記載された技術事項の「確変遊技状態中」は、本願発明における「有利状態が設定されている場合」に相当する。
　そして、引用文献２に記載された技術事項の「確変遊技状態が開始されてから特別図柄表示手段３２が３３回変動するまでの期間に対応する「ＳＴ前半モード」」は、「遊技モード毎に予め定められた、各変動パターンの選択率の設定が異なるのに加え、選択対象となる変動パターンの種類も異なっている変動パターン選択テーブルが用いられ」ることからみて、実行される演出態様が、「「ＳＴ前半モード」から特別図柄表示手段３２が３０回変動するまでの期間に対応する「ＳＴ中盤モード」」において実行される演出態様と異なるものであるから、引用文献２に記載された技術事項の「ＳＴ前半モード」、「ＳＴ中盤モード」は、それぞれ、本願発明の「第一の演出態様」、「第二の演出態様」に相当する。
　また、引用文献２に記載された技術事項において、「特別図柄表示手段３２」の「確変遊技状態が開始されてから」の３３回目の変動が終了して、３４回目の変動に切り替わるタイミングで、演出モードは、「ＳＴ前半モード」から「ＳＴ中盤モード」へと切り替わるものであるから、引用文献２に記載された技術事項は、本願発明の「有利状態中において第一の演出態様から第二の演出態様へ変更可能であ」ることに相当する構成を備えるものである。
　したがって、引用文献２に記載された技術事項の構成ｆは、本願発明における構成Ｆに相当する。
　
　次に、本願発明の構成Ｇ’と引用文献２に記載された技術事項の構成ｇ’とを対比する。
　引用文献２に記載された技術事項において、予告演出Ｂは、ＳＴ前半モードで出現可能であるが、ＳＴ中盤モードで出現不可能であり、また、予告演出Ｄは、ＳＴ前半モードで出現不可能であるが、ＳＴ中盤モードで出現可能である。
　そうすると、引用文献２に記載された技術事項において、予告演出Ｂと予告演出Ｄとに着目した場合、予告演出Ｂと予告演出Ｄは、ＳＴ前半モーとＳＴ中盤モードとで、その出現率が異なるといえる。
　したがって、引用文献２に記載された技術事項の構成ｇ’は、本願発明における構成Ｇ’に相当する。
　
　そして、引用発明と引用文献２に記載された技術事項とは、確変状態において予告演出を行う遊技機である点で共通するとともに、演出効果を向上させるという共通の課題を解決するものである。
　したがって、引用発明における確変状態のときに実行される予告演出に引用文献２に記載された技術事項を適用して、確変状態中における演出態様として、第一の演出態様と、第二の演出態様とを設定可能とし、かつ、第一の演出態様である場合と、第二の演出態様である場合とで、ボタン予告とミニキャラ予告の選択割合を異ならせ、上記相違点１’に係る本願発明の構成とすることは当業者が容易になし得たものである。
　
　５　むすび
　上記１〜４より、本願発明は、特許法第２９条第２項の規定に基づいて特許を受けることができないものである。
　したがって、他の請求項について検討するまでもなく、本願は拒絶すべきである。
　
　よって、結論のとおり審決する。